(57)【要約】      （修正有）【課題】デジタルスチルカメラに於いては、高倍率で鳥等の飛翔体撮影を行う場合、飛翔体は予期せぬ移動を行い、標的を見逃してしまう事がある。そこで標的を画面中心に捉える為に、装備されているディスプレーを利用して飛翔体の移動方向を表示し、高倍率撮影状態のままで、カメラアングルを、容易に変更し、被写体を画面の中心部に捉える様にした表示システムを提供する。【解決手段】撮影用光学系以外に、広範囲を表示する為の光学系と撮像素子を、撮影用光学系近傍に設置し、デジタルスチルカメラに装備されているディスプレーは、主に撮影用光学系で捕らえた画像を表示すると共に、広範囲を表示する為の光学系で撮影した画像をデジタルスチルカメラに装備されているディスプレーの一部に表示する。又は、デジタルスチルカメラのディスプレーを、スイッチ等で撮影用光学系、広範囲を表示する光学系の表示を切り替える構成にしたシステムである。【選択図】図１
2011085877.tif 000002
【特許請求の範囲】
【請求項１】
撮影用光学系以外に、広範囲を表示する為の光学系と撮像素子を、デジタルスチルカメラに一体的に設置し、撮影用光学系で捕らえた画像を、デジタルスチルカメラに設けられたディスプレー上表示すると共に、広範囲を表示する為の光学系で撮影した画像も、デジタルスチルカメラに設けられたディスプレー上の一部に表示する様に構成したことを特徴とする高倍率撮影時の標的認識システム。
【請求項２】
撮影用光学系以外に、広範囲を表示する為の光学系と撮像素子を、デジタルスチルカメラに一体的に設置し、撮影用光学系で捕らえた画像を、デジタルスチルカメラに設けられたディスプレー上に表示すると共に、広範囲を表示する為の光学系で撮影した画像も、デジタルスチルカメラに設けられたディスプレー上に表示する様に構成し、両表示を切替えスイッチでどちらかを選択表示する様に構成した事を特徴とする特許請求項１記載の高倍率撮影時の標的認識システム。
【請求項３】
撮影用光学系以外に、広範囲を表示する為の光学系と撮像素子を、デジタルスチルカメラに一体的に設置し、撮影用光学系で捕らえた画像を、デジタルスチルカメラに設けられたディスプレー上に表示すると共に、広範囲を表示する為の光学系で撮影した画像も、デジタルスチルカメラに設けられたディスプレー上の一部に表示する様に構成した高倍率撮影時の標的認識システムに於いて、広範囲の表示をスイッチ操作で表示画面サイズを変更可能な様に構成した事を特徴とする特許請求項１記載の高倍率撮影時の標的認識システム。
【請求項４】
撮影用光学系以外に、広範囲を表示する為の光学系と撮像素子を、デジタルスチルカメラに一体的に設置し、撮影用光学系で捕らえた画像を、デジタルスチルカメラに設けられたディスプレー上に表示すると共に、広範囲を表示する為の光学系で撮影した画像も、デジタルスチルカメラに設けられたディスプレー上の一部に表示する様に構成した高倍率撮影時の標的認識システムに於いて、撮影用光学系のズーム比が最大ズームの約１／２以上になった時に、広範囲の表示機能を作動させる様に構成したことを特徴とする特許請求項１及び特許請求項２記載の高倍率撮影時の標的認識システム。
【請求項５】
撮影用光学系以外に、広範囲を表示する為の光学系と撮像素子を、デジタルスチルカメラに一体的に設置し、撮影用光学系で捕らえた画像を、デジタルスチルカメラに設けられたディスプレー上に表示すると共に、広範囲を表示する為の光学系で撮影した画像も、デジタルスチルカメラに設けられたディスプレー上の一部に表示する様に構成した高倍率撮影時の標的認識システムに於いて、広範囲の表示をスイッチ操作で表示画面位置を変更可能な様に構成した事を特徴とする特許請求項１及び特許請求項２、特許請求項４記載の高倍率撮影時の標的認識システム。
【発明の詳細な説明】
【技術分野】
【０００１】  本発明は、デジタルスチルカメラに於いて、超高倍率で鳥等の飛翔体撮影を行っている場合に、飛翔体の急激な変位に対してカメラアングルの方向性を速やかに目視出来る様、内蔵したディスプレーを利用して表示する様にしたシステムに関するものである。
【背景技術】
【０００２】  従来、デジタルスチルカメラの高倍率撮影時、飛翔体をターゲットにして撮影している時、該、ターゲットの予期せぬ移動、変位に対して、ターゲットを画枠の中央部に位置する様にカメラアングルを変える為に、ターゲットの移動、変位方向を人為的に把握しカメラアングルを変えて、ターゲットを画枠の中央部に位置する様に操作していた。【０００３】  前記の様な操作は、操作者の経験による習熟度が無ければ、非常に困難な操作であり特に、高倍率になればなるほど、さらに難易度が増していた。
【特許文献】
【発明の開示】
【発明が解決しようとする課題】
【０００４】  従来は、前述した様に、人為的な判断の基に、カメラアングルの補正を行い、撮影対象物を画枠の中心になる様に操作していた。【０００５】  本発明は、人為的な判断、操作習熟度を極力軽減する様に、デジタルスチルカメラに内蔵されている表示用ディスプレーを利用し、該表示用ディスプレー上に、広範囲画像を表示し、飛翔体の移動、変位方向を瞬時に捉え、該、飛翔体を表示中心になる様にデジタルスチルカメラのカメラアングルを変える事で、移動、変位した飛翔体を高倍率のまま画面中心に捉える事が容易に行う事が出来る様に構成したシステムの提供するものである。
【課題を解決するための手段】
【０００６】  前記の目的を達成する為に本発明は、撮影用光学系以外に、広範囲を表示する為の光学系と撮像素子を、撮影用光学系近傍に設置し、デジタルスチルカメラに装備されているディスプレー上に撮影用光学系の画像を表示すると共に、広範囲を表示する為の光学系画像を、前記ディスプレー上の一部を利用して表示する。或いは、切替え操作で全体を表示する。或いは、画面サイズの表示サイズの変更、表示位置の変更も行える様にする事で、さらに操作性が向上する。【０００７】  前述の、ディスプレー上に表示している広範囲画像は、飛翔体が、予期せぬ動きをし突然の移動、変異を捉えている。該、ディスプレー上に表示された飛翔体を画枠の中心にくる様にカメラアングルを変える事で、撮影対象となる飛翔体を高倍率のまま画面中心に捉える事が容易に行う事が出来る。
【発明の効果】
【０００８】  前述した、構成、システムをとる事で、高倍率撮影時、被写体の突然の移動、変位に対して、カメラアングル変更を目視的に判断でき、アングル変更が速やかに、且つ高度な習熟、経験を必要とせず簡単に行う事が可能となる。
【発明を実施するための最良の形態】
【実施例】
【０００９】  本発明の実施形態を、図にもとづいて説明する。カメラ筺体１には、ズーム光学系で構成された撮影光学系２の鏡胴２ａが配置されている。該、撮影光学系２は、カメラ筺体の背面に設けられたズームスイッチ３で希望する撮影倍率に設定する事が可能である様に構成されている。【００１０】  カメラ筺体１の上面には、レリーズ釦４、メインスイッチ５が配置されている。メインスイッチ５のＯＮ操作で、鏡胴２ａが収納位置から第一撮影位置（通常はワイド位置）に移動し撮影待機状態になる。レリーズ釦４の操作で画像が記録される。（図１）【００１１】  カメラ筺体１の背面には撮影状態の画像を表示するディスプレー６が配置されている。該、ディスプレー６は、撮影待機状態の時は、撮影光学系２で捉えた画像を常時表示している。（図２）【００１２】  ディスプレー６の表示画像内には、撮影光学系２を表示させるメインエリア６ａと他の画像を表示するサブエリア６ｂがある。サブエリア６ｂの表示画像は、撮影光学系２以外に設けられた広範囲表示光学系７で捉えた画像を表示している。この画像は、撮影の為レリーズ操作を行っても画像記録されない様にシステムの構築がされている。又、該画像は意図的に画像記録する事や、特許請求項２に記述している、切替えスイッチ等でメインエリア６ａとサブエリア６ｂの画像を逆転し、撮影光学系２で捉えた画像をサブエリア６ｂに表示し、広範囲表示光学系７で捉えた画像をメインエリア６ａに表示するといった構成も画像記録システム構築で可能である。（図１、及び図２、図３）【００１３】  広範囲表示光学系７は鏡胴２の一部に設けている。該、広範囲表示光学系７は、鏡胴２以外の場所、カメラ筺体１の鏡胴２近傍に設けても良い。（図１）【００１４】  その他、カメラ筺体１の前面には、フラッシュ窓８、作動表示ランプ窓９等が設けられている。カメラ筺体１の背面には、各種モード設定釦等が設けられている。（図１、及び図２）【００１５】  特許請求項２に記述している、切替えスイッチ等は、カメラ筺体１の背面の各種モード設定釦近傍に設けるのが望ましい。該、切替えスイッチを操作していない時は、撮影光学系２で捉えた画像を表示し、切替えスイッチを操作した時は、広範囲表示光学系７で捉えた画像を表示し、飛翔体の移動、変位方向を認識し捉えたい被写体を画枠中心になる様にカメラアングルの変更に役立つ。尚、切替えスイッチの作動機能は逆に構成する事も可能である。（図１、及び図２、図３）【００１６】  特許請求項４に記述している様に、ズーム操作をして、ズーム比がある値以上になった時に、自動的に広範囲表示光学系７を作動させ、広範囲表示光学系７で捉えた画像を表示する様にシステム構築する事で、ワイド撮影領域での煩雑な表示が避けられるし、テレ撮影領域時に飛翔体等の予期せぬ突然の移動、変位によるカメラアングルの変更に速やかな対応が容易になる利点を有する。【００１７】  広範囲表示光学系７で捉えた画像のサブエリア６ｂの表示をモード釦等の操作で、画面サイズの変更、或いは、表示位置の移動変更が行える様に、システム構築する事で、更なる使用勝手の改善を行う事が可能となる。
【図面の簡単な説明】
【００１８】
【図１】  本発明の一実施形態で、鏡胴に広範囲表示光学系を配置した図。
【図２】  本発明の一実施形態で、ディスプレー上に広範囲表示光学系で捉えた画像を表示している図。
【図３】  本発明の一実施形態のチャート図の一例である。
【符号の説明】
【００２６】１      カメラ筺体
２      撮影光学系
２ａ    鏡胴
３      ズームスイッチ
４      レリーズ釦
５      メインスイッチ
６      ディスプレー
６ａ    メインエリア
６ｂ    サブエリア
７      広範囲表示光学系
７ａ    広範囲表示光学系の他の配置例
８      フラッシュ窓
９      作動表示ランプ窓
【図１】
2011085877.tif 000003
【図２】
2011085877.tif 000004
【図３】
2011085877.tif 000005